(57)【要約】【課題】ボタン操作に伴うクリック感が良好であり、然もボタン操作に伴って誤動作が発生する虞のない押しボタン機構を提供する。【解決手段】本発明に係る押しボタン機構において、フロントパネル２を具えた筐体の内部には、回路基板５と連結ボタン装置６が配備されている。連結ボタン装置６は、フロントパネル２に固定されるべき基部６１を具え、該基部６１には、弾性変形部を介して、フロントパネル２の複数の窓２１に向かって伸びる複数本の第１アーム６２と、回路基板５上の複数のタクト部品５１に向かって伸びる複数本の第２アーム７とが突設され、各第１アーム６２の先端部に、フロントパネル２の各窓２１から臨出する押しボタン４が設けられている。又、連結ボタン装置６の基部６１には、各第２アーム７を挟んで両側或いは片側に、回路基板５の端部が嵌入すべきスリット６４が凹設されている。【選択図】      図２
2004259494.tif 000002
【特許請求の範囲】
【請求項１】
フロントパネル（２）を具えた筐体（１）の内部に回路基板（５）が設置されると共に、該回路基板（５）上に配列された複数のタクト部品（５１）を押下するための連結ボタン装置（６）が配備され、該連結ボタン装置（６）は、フロントパネル（２）に固定された基部（６１）を具え、該基部（６１）には、弾性変形部（６０）を介して、フロントパネル（２）に開設された複数の窓（２１）に向かって伸びる複数本の第１アーム（６２）と、回路基板（５）上の複数のタクト部品（５１）に向かって伸びる複数本の第２アーム（７）とが突設され、各第１アーム（６２）の先端部に、フロントパネル（２）の各窓（２１）から臨出する押しボタン（４）が設けられている押しボタン機構において、連結ボタン装置（６）の基部（６１）には、回路基板（５）の端部を保持する１或いは複数の保持部が設けられていることを特徴とする押しボタン機構。
【請求項２】
連結ボタン装置（６）の基部（６１）には、各第２アーム（７）を挟んで両側或いは片側に、回路基板（５）の端部が嵌入すべきスリット（６４）が凹設され、該スリット（６４）によって前記保持部が形成されている請求項１に記載の押しボタン機構。
【請求項３】
フロントパネル（２）を具えた筐体（１）の内部に回路基板（５）が設置されると共に、該回路基板（５）上に配列された複数のタクト部品（５１）を押下するための連結ボタン装置（６）が配備された電子機器において、
前記連結ボタン装置（６）は、フロントパネル（２）に固定された基部（６１）を具え、該基部（６１）には、弾性変形部（６０）を介して、フロントパネル（２）に開設された複数の窓（２１）に向かって伸びる複数本の第１アーム（６２）と、回路基板（５）上の複数のタクト部品（５１）に向かって伸びる複数本の第２アーム（７）とが突設され、各第１アーム（６２）の先端部に、フロントパネル（２）の各窓（２１）から臨出する押しボタン（４）が設けられると共に、該基部（６１）には、回路基板（５）の端部を保持する１或いは複数の保持部が設けられていることを特徴とする電子機器。
【請求項４】
連結ボタン装置（６）の基部（６１）には、各第２アーム（７）を挟んで両側或いは片側に、回路基板（５）の端部が嵌入すべきスリット（６４）が凹設され、該スリット（６４）によって前記保持部が形成されている請求項３に記載の電子機器。
【発明の詳細な説明】
【０００１】
【発明の属する技術分野】
本発明は、ディスクプレーヤなどの電子機器において、回路基板上の複数のタクト部品をフロントパネルの押しボタンによって押下するための押しボタン機構に関するものである。
【０００２】
【従来の技術】
従来、ディスクプレーヤなどの電子機器においては、図７に示す如く、フロントパネル（８１）を具えた筐体（８）の内部に回路基板（８２）が設置されると共に、該回路基板（８２）上に配列された複数のスイッチ（８３）を押下するための連結ボタン装置（９）が配備されている（特許文献１参照）。
連結ボタン装置（９）は樹脂の一体成型品であって、その基端部がフロントパネル（８１）に固定され、該基端部には、フロントパネル（８１）に開設された複数の窓（８０）に向かって伸びる複数本の第１アーム（９３）と、回路基板（８２）上の複数のスイッチ（８３）に向かって伸びる複数本の第２アーム（９２）とが突設されている。各第１アーム（９３）の先端部には、フロントパネル（８１）に開設された各窓（８０）から臨出する押しボタン（９１）が形成されている。
【０００３】
上記押しボタン機構においては、押しボタン（９１）を押圧すると、弾性変形によって第１アーム（９３）と第２アーム（９２）が反時計方向に回動して、該第２アーム（９２）の先端部によって回路基板（８２）上のスイッチ（８３）が押下される。
【０００４】
【特許文献１】
特開平１０−６４１３８号公報（
【００１２】、
【図１】）
【０００５】
【発明が解決しようとする課題】
しかしながら、図７に示す押しボタン機構においては、押しボタン（９１）の操作によって回路基板（８２）上のスイッチ（８３）を押下したとき、良好なクリック感が得られない問題があった。これは、回路基板（８２）を支持している筐体のベースプレートや回路基板（８２）が押圧力を受けて変形し、これに伴ってスイッチ（８３）が僅かに下方へ変位するためである。
又、ある１つの押しボタン（９１）を操作すると、該押しボタンに対応するスイッチ（８３）がオンとなると同時に、隣接するスイッチも共にオンとなることがあり、これによってユーザの意図に反する動作が実行される問題があった。これは、押圧力の作用によって弾性変形したベースプレートや回路基板（８２）が、その後の押圧力の解除によって振動し、反対方向に弾性変形することにより、回路基板（８２）上のスイッチが連結ボタン装置の第２アームに衝突するからである。
【０００６】
そこで本発明の目的は、ボタン操作に伴うクリック感が良好であり、然もボタン操作に伴って誤動作が発生する虞のない押しボタン機構を提供することである。
【０００７】
【課題を解決する為の手段】
本発明に係る押しボタン機構においては、フロントパネル（２）を具えた筐体（１）の内部に回路基板（５）が設置されると共に、該回路基板（５）上に配列された複数のタクト部品（５１）を押下するための連結ボタン装置（６）が配備されている。
連結ボタン装置（６）は、フロントパネル（２）に固定された基部（６１）を具え、該基部（６１）には、弾性変形部（６０）を介して、フロントパネル（２）に開設された複数の窓（２１）に向かって伸びる複数本の第１アーム（６２）と、回路基板（５）上の複数のタクト部品（５１）に向かって伸びる複数本の第２アーム（７）とが突設され、各第１アーム（６２）の先端部に、フロントパネル（２）の各窓（２１）から臨出する押しボタン（４）が設けられている。
又、連結ボタン装置（６）の基部（６１）には、回路基板（５）の端部を保持する１或いは複数の保持部が形成されている。
【０００８】
上記本発明の押しボタン機構においては、押しボタン（４）を押圧すると、連結ボタン装置（６）の弾性変形部（６０）が弾性変形して、第１アーム（６２）と第２アーム（７）が回動し、第２アーム（７）の先端部によって回路基板（５）上のタクト部品（５１）が押下される。
このとき、回路基板（５）はタクト部品（５１）を介して押圧力を受けるが、該回路基板（５）は、その端部が連結ボタン装置（６）の基部（６１）の保持部によって確実に支持されているので、回路基板（５）が変位することはない。
従って、回路基板（５）に対する押圧力が解除されたときにも該回路基板（５）に振動が発生することはない。
【０００９】
具体的構成において、連結ボタン装置（６）の基部（６１）には、各第２アーム（７）を挟んで両側或いは片側に、前記スリット（６４）が凹設され、該スリット（６４）によって前記保持部が形成されている。
該具体的構成によれば、回路基板（５）に作用する押圧力の作用点の近傍位置が連結ボタン装置（６）の基部（６１）によって受け止められるので、回路基板（５）の変位は確実に阻止される。
【００１０】
【発明の効果】
本発明に係る押しボタン機構によれば、押しボタンの操作に伴って回路基板が変位することはないので、ボタン操作に伴って良好なクリック感が得られる。又、押しボタンの操作に伴って回路基板に振動が発生することはないので、ボタン操作を行なっていないタクト部品が誤動作することはない。
【００１１】
【発明の実施の形態】
以下、本発明をディスクプレーヤに実施した形態につき、図面に沿って具体的に説明する。
本発明に係るディスクプレーヤにおいては、図１に示す如く、扁平な金属製の筐体（１）の開口部に合成樹脂製のフロントパネル（２）が取り付けられており、該筐体（１）の内部には、ディスクトレイ（３）を含むディスク搬送ユニット（図示省略）が配備されている。
又、フロントパネル（２）には、種々の動作を指令する際に操作すべき複数の押しボタン（４）が配備されている。
【００１２】
筐体（１）の内部には、図３及び図４に示す如く、回路基板（５）が水平に設置され、ベースプレート（１１）上に支持されている。該回路基板（５）の表面には、図２に示す如く複数のタクト部品（プッシュスイッチ）（５１）が配列されている。
【００１３】
又、筐体（１）の内部には、回路基板（５）上の複数のタクト部品（５１）を押下するための連結ボタン装置（６）が配備されている。該連結ボタン装置（６）は、樹脂の一体成型品であって、図５及び図６に示す如く、フロントパネル（２）に固定されるべき基部（６１）を具え、該基部（６１）には、弾性変形部（６０）を介して、上方に伸びる複数本の第１アーム（６２）が横方向に併設されると共に、水平に伸びる複数本の第２アーム（７）が横方向に併設されている。各第１アーム（６２）の先端部には、上述の押しボタン（４）が形成されている。
【００１４】
又、連結ボタン装置（６）の基部（６１）には、各第２アーム（７）を挟んで両側に、平板状の垂直リブ（６３）が突設され、各リブ（６３）には、前記回路基板（５）の端部が嵌入すべきスリット（６４）が凹設されている。
更に基部（６１）には、各第２アーム（７）の下方位置に、貫通孔を有するボス（６５）が突設されている。
【００１５】
一方、フロントパネル（２）には、図２に示す如くその上壁に、連結ボタン装置（６）の各押しボタン（４）が臨出すべき複数の窓（２１）が開設されている。又、フロントパネル（２）の内面には、連結ボタン装置（６）を固定するための複数の座（２２）が突設されている。
組立時には、連結ボタン装置（６）の各ボス（６５）をフロントパネル（２）の各座（２２）に合致させ、ビス（図示省略）をボス（６５）の貫通孔から座（２２）へ螺入せしめることによって、連結ボタン装置（６）をフロントパネル（２）に固定する。これによって、連結ボタン装置（６）の各押しボタン（４）はフロントパネル（２）の各窓（２１）から臨出することになる（図１参照）。
【００１６】
そして、図３及び図４に示す如くベースプレート（１１）上に回路基板（５）を支持した状態で、該ベースプレート（１１）にフロントパネル（２）を取り付ける。これによって、図３の如く連結ボタン装置（６）の各第２アーム（７）の先端部が回路基板（５）上の各タクト部品（５１）に対向すると共に、図４の如く回路基板（５）の端部が連結ボタン装置（６）のリブ（６３）のスリット（６４）に嵌入し、該端部が該リブ（６３）によって確実に支持されることになる。
【００１７】
上記ディスクプレーヤにおいて、１つの押しボタン（４）を押圧すると、該押しボタン（４）に繋がる弾性変形部（６０）が弾性変形して、第１アーム（６２）と第２アーム（７）が一体として回動し、該第２アーム（７）の先端部によって回路基板（５）上の１つのタクト部品（５１）が押下される。
このとき、回路基板（５）はタクト部品（５１）を介して押圧力を受けるが、該回路基板（５）の押圧力作用部は、その両側にて、連結ボタン装置（６）の基部（６１）のリブ（６３）（６３）によって確実に支持されているので、連結ボタン装置（６）の基部（６１）に対して回路基板（５）が変位することはない。又、回路基板（５）に対する押圧力が解除されたときにも該回路基板（５）に振動が発生することはない。
【００１８】
従って、押しボタン（４）の操作に伴って良好なクリック感が得られ、ボタン操作を行なっていない隣のタクト部品（５１）が誤動作することもない。
【００１９】
尚、本発明の各部構成は上記実施の形態に限らず、特許請求の範囲に記載の技術的範囲内で種々の変形が可能である。例えば、連結ボタン装置（６）の基部（６１）に凹設すべきスリット（６４）は、上述の如く連結ボタン装置（６）の全ての第２アーム（７）について各第２アーム（７）の両側に形成する構成に限らず、一部の第２アーム（７）については片側にのみスリット（６４）を凹設する構成も採用可能である。
【図面の簡単な説明】
【図１】本発明を実施したディスクプレーヤの外観を示す斜視図である。
【図２】該ディスクプレーヤのフロントパネル、連結ボタン装置及び回路基板の分解斜視図である。
【図３】該ディスクプレーヤの要部を示す断面図である。
【図４】図３の断面位置から僅かにずれた位置における同上の断面図である。
【図５】連結ボタン装置を後方から見た斜視図である。
【図６】連結ボタン装置の背面図である。
【図７】従来の押しボタン機構を示す断面図である。
【符号の説明】
（１）  筐体
（１１）  ベースプレート
（２）  フロントパネル
（４）  押しボタン
（５）  回路基板
（５１）  タクト部品
（６）  連結ボタン装置
（６０）  弾性変形部
（６１）  基部
（６２）  第１アーム
（７）  第２アーム
（６３）  リブ
（６４）  スリット
【図１】
2004259494.tif 000003
【図２】
2004259494.tif 000004
【図３】
2004259494.tif 000005
【図４】
2004259494.tif 000006
【図５】
2004259494.tif 000007
【図６】
2004259494.tif 000008
【図７】
2004259494.tif 000009